(57)【要約】【課題】  防水パッキンが開口部に挿入されたときの防水パッキンの接触圧が平均化されると共に、充分な強度を有して耐久性が高く、外観部に傷を生じない取り付け構造の開閉蓋を有する防水型カメラを得る。【解決手段】  開口部を有するカメラ本体と、カメラ本体に対し回動して開口部を開閉する開閉蓋と、開口部と開閉蓋との間に弾性部材を有した防水型カメラにおいて、開閉蓋に略円柱状の回動軸を形成し、カメラ本体に回動軸が挿入される孔部が形成され、孔部が小判形に形成されている防水型カメラとする。【選択図】        図３
2006215436.tif 000002
【特許請求の範囲】
【請求項１】
開口部を有するカメラ本体と、前記カメラ本体に対し回動して前記開口部を開閉する開閉蓋と、前記開口部と前記開閉蓋との間に弾性部材を有した防水型カメラにおいて、
前記開閉蓋に略円柱状の回動軸を形成し、前記カメラ本体に前記回動軸が挿入される孔部が形成され、前記孔部が小判形に形成されていることを特徴とする防水型カメラ。
【請求項２】
前記孔部は、前記開口部の開口する面に略平行な方向を長手方向とする小判形に形成されていることを特徴とする請求項１に記載の防水型カメラ。
【請求項３】
前記開閉蓋の外観に露呈しない位置に形成された段差部と当接して回動を停止させるストッパ部を前記カメラ本体側に形成したことを特徴とする請求項１又は２に記載の防水型カメラ。
【発明の詳細な説明】
【技術分野】
【０００１】
本発明は、防水型カメラに関し、詳しくはカメラ本体に形成された開口部を開閉する開閉蓋の取り付け構造に関するものである。
【背景技術】
【０００２】
従来より、雨天下や水中での使用に際し、カメラ内部への水の侵入を防止した所謂防水型カメラが開発され、工事現場等の環境での作業記録に好適なため広く使用されている。
【０００３】
また、近年普及の著しいデジタルカメラでも、この防水型カメラが開発され、工事現場の作業記録に広く使用されている。これら防水型のデジタルカメラにおいては、電源である電池の交換のための開口部やリムーバブルメモリの交換のための開口部と、この開口部を水密とする開閉蓋を有している。
【０００４】
このような防水型カメラの開閉蓋の構造に関し、本体側に孔部を形成し、この孔部に挿入された回動軸に回動部材を設け、この回動部材に防水パッキンを固着し、回動部材に対してスライド可能となされた蓋体で構成した水密な蓋構造が開示されている（例えば、特許文献１参照）。
【０００５】
また、蓋体側に小判形の孔部を形成し、本体側に略円形の軸を形成し、開閉蓋としての電池蓋に弾性部材による防水パッキンを固着し、防水パッキンが回動して開口部に挿入されたときの防水パッキンと開口部との接触圧が平均化されるように、蓋体が移動可能な小判形の移動余裕を設けたものが開示されている（例えば、特許文献２参照）。
【特許文献１】特開２００３−１４２８４１号公報
【特許文献２】特開２００４−１５７２４０号公報
【発明の開示】
【発明が解決しようとする課題】
【０００６】
上記の特許文献１に記載の蓋構造は、回動軸と防水パッキンの位置関係が固定されているため部品誤差により、防水パッキンが開口部に挿入されたときの防水パッキンの接触圧が不均一となり、防水性に個体差を生じる問題がある。
【０００７】
また、上記の特許文献２に記載の蓋構造は、以下のような問題がある。
【０００８】
図４は、従来例である特許文献２に記載の電池蓋の閉時と開時の蝶番部の状態を示した図である。同図（ａ）は電池蓋の閉状態を示し、同図（ｂ）は電池蓋の開状態を示している。
【０００９】
同図（ａ）に示すように、電池蓋１１の閉状態としたときは、カメラ本体１０に形成された蝶番芯１２に対し、電池蓋１１に形成された小判形の孔部の、図示Ａ方向への移動により、防水パッキンが開口部に挿入されたときの防水パッキンの接触圧は平均化される。
【００１０】
一方、同図（ｂ）に示すように、電池蓋を回動させ開状態としたとき、電池蓋の長手方向の小判形の余裕量分だけ移動できるため、図示Ｂ方向に移動可能となり、この余裕量分の蓋のがたつきにより、図中Ｃで示す部位がカメラ本体１０と擦れて傷を生じ、電池蓋を閉状態としたときに、この傷のついた部位が外観に露出するという問題がある。また、電池蓋側に小判形の孔を設けることは、蝶番部が非常に薄肉となり、強度的に問題がある。
【００１１】
本発明は上記問題に鑑み、防水パッキンが開口部に挿入されたときの防水パッキンの接触圧が平均化されると共に、充分な強度を有して耐久性が高く、外観部に傷を生じない取り付け構造の開閉蓋を有する防水型カメラを得ることを目的とするものである。
【課題を解決するための手段】
【００１２】
上記の目的は、以下の構成により解決される。
【００１３】
１）  開口部を有するカメラ本体と、前記カメラ本体に対し回動して前記開口部を開閉する開閉蓋と、前記開口部と前記開閉蓋との間に弾性部材を有した防水型カメラにおいて、前記開閉蓋に略円柱状の回動軸を形成し、前記カメラ本体に前記回動軸が挿入される孔部が形成され、前記孔部が小判形に形成されていることを特徴とする防水型カメラ。
【００１４】
２）  前記孔部は、前記開口部の開口する面に略平行な方向を長手方向とする小判形に形成されている１）の防水型カメラ。
【００１５】
３）  前記開閉蓋の外観に露呈しない位置に形成された段差部と当接して回動を停止させるストッパ部を前記カメラ本体側に形成した１）又は２）の防水型カメラ。
【発明の効果】
【００１６】
上記１）または２）の発明によれば、充分な強度を有して耐久性が高いと共に、防水パッキンが開口部に挿入されたとき均一な防水パッキンの接触圧となる開閉蓋を備えた防水型カメラを得ることが可能となる。
【００１７】
上記３）の発明によれば、上記効果に加え、外観部に傷を生じない取り付け構造を有した開閉蓋を備えた防水型カメラを得ることが可能となる。
【発明を実施するための最良の形態】
【００１８】
以下、実施の形態により本発明を詳しく説明するが、本発明はこれに限定されるものではない。
【００１９】
図１は、本実施の形態に係る防水型カメラ１００の例を示した外観図である。図１（ａ）はカメラ正面図、図１（ｂ）はカメラ側面図である。
【００２０】
図１（ａ）において、８１は撮影レンズであり、前面には防水のための平面ガラスが配置され、この内部には屈曲光学系を用いたズーム撮像光学系が配置されている。８３はレリーズ釦、８４はフラッシュ発光部、８５はメインスイッチ、８６はフラッシュ調光用センサ窓である。
【００２１】
レリーズ釦８３はその１段の押し込みによりカメラの撮影準備動作、即ち焦点合わせ動作や測光動作が行われ、その２段の押し込みにより撮影露光動作が行われる。
【００２２】
図１（ｂ）において、５０は開閉可能な開閉蓋であり、内部には外部入出力端子（例えば、ＵＳＢ端子）、外部電源入力端子、ビデオ出力端子等が配置されている。開閉蓋５０は、開閉つまみ５１の操作によりロック及びロック解除が行われ、蝶番によって回動できるよう構成されている。
【００２３】
また、図示していないが、カメラ背面には、公知のズームアップ、ズームダウンをおこなうズーム釦、メニュー／セット釦、４方向スイッチで構成された選択釦、モード設定ダイヤル等の操作部材及び画像やその他文字情報等を表示する画像表示部（例えばＬＣＤ表示装置）が配置されている。更に、カメラ底面には、三脚穴、電池／カード蓋が備えられ、電池／カード蓋の内部には、本カメラの電源を供給する電池と、撮影した画像を記録するカード用のスロットが備えられており、画像を記録するカード型の記録用メモリが挿脱可能になっている。
【００２４】
図２は、本実施の形態に係る開閉蓋５０の閉時の状態を示す断面図である。
【００２５】
同図において、５０は開閉蓋であり、６０はカメラ本体である。カメラ本体６０には外観部品６１が固着されている。開閉蓋５０には開閉つまみ５１が所定の角度回転可能に取り付けられている。開閉蓋５０と開閉つまみ５１の間には防水パッキンとして弾性部材で形成されたＯリング５２が組み付けられ、開閉つまみ５１が所定の角度回転されても、この隙間からカメラ内部に水が侵入しないように構成されている。
【００２６】
また、開閉蓋５０には、開閉蓋ロック部材５５が開閉つまみ５１にネジにより固定されており、開閉つまみ５１の所定の角度の回転に伴って回転し、ロック解除がなされる。同図においては、この開閉蓋ロック部材５５がカメラ本体６０の内側に挿入され開閉蓋５０がロックされた状態となっている。
【００２７】
更に、開閉蓋５０には、防水パッキンとして弾性部材で形成されたＯリング５３がＯリング固定部材５４により開閉蓋５０に組み付けられている。このＯリング５３は、同図に示す開閉蓋５０の閉状態では、カメラ本体６０の開口部の周囲に形成された傾斜部６０ｓに所定の押圧力で押しつけられ、カメラ本体６０と開閉蓋５０の間からカメラ内部に水が侵入しないように構成されている。
【００２８】
一方、開閉蓋５０には略円柱状の回動軸５０ｋが一体的に形成され、カメラ本体６０には回動軸５０ｋが挿入される小判形の孔部６０ｎが形成されている。この孔部６０ｎは、図示の如く、開口部の開口する面に略平行な方向を長手方向とする小判形に形成されている。本例においては、回動軸５０ｋは開閉蓋５０から外側に突出して形成され、カメラ本体６０に形成された小判形の孔部６０ｎは互いに向き合うように配置されている。
【００２９】
これにより、開閉蓋５０に形成された回動軸５０ｋは小判形の孔部６０ｎの余裕分だけ、図示Ｄ方向に移動が可能であり、開閉蓋５０に例えば部品誤差があり、回動軸５０ｋの位置に対しＯリング５３の位置が若干ずれている場合には、小判形の孔部６０ｎ内を回動軸５０ｋが移動した状態でロックされ、防水パッキンであるＯリング５３の開口部に挿入された状態では接触圧が均一となる位置となって、防水性能をより確実なものにできるようになっている。
【００３０】
加えて、開閉蓋５０側に略円柱状の回動軸５０ｋを形成し、カメラ本体６０側に回動軸５０ｋが挿入される孔部を形成することにより、双方を充分な肉厚に形成でき、これにより充分な強度を有する耐久性の高い、防水型カメラの開閉蓋とすることができる。
【００３１】
以上のように構成されたカメラ本体６０と開閉蓋５０は、開閉つまみ５１を所定角度回転させることで、開閉蓋ロック部材５５を回転させ、ロック解除がなされる。
【００３２】
図３は、本実施の形態に係る開閉蓋５０の開時の状態を示す断面図である。同図においては、説明の重複を避けるため、図２で示した同部材には同符号を付与して説明する。同図（ａ）は、開閉蓋５０の開状態を示しており、同図（ｂ）はこの時の回動軸５０ｋ付近の拡大図である。
【００３３】
同図（ａ）に示した開閉蓋５０の開状態においては、外部入出力端子７１等が開口部より露呈する。
【００３４】
同図（ｂ）に示すように開閉蓋５０には、段差部５０ｄが形成されており、カメラ本体６０側には、この段差部５０ｄと当接して回動を停止させるストッパ部６０ｓが形成されている。この段差部５０ｄは、図２に示す閉状態においても外観に露呈しない部位に形成されている。
【００３５】
即ち、開閉蓋５０側に回動軸５０ｋを形成し、カメラ本体６０側に小判形の孔部６０ｎを形成し、開閉蓋５０の外観に露呈しない部位に段差部５０ｄ、カメラ本体６０側に、段差部５０ｄの回動を停止させるストッパ部６０ｓを、形成することで、開閉蓋５０は同図（ｂ）に示す矢印Ｄ方向にのみ移動可能であり、当接している段差部５０ｄ及びストッパ部６０ｓがこすれ、傷や塗装剥がれが発生しても外観に露呈することが無い開閉蓋とすることができる。
【００３６】
以上説明したように、より防水性能を確実なものとして、充分な強度を有して耐久性の高い、外観部に露呈する部位に傷を生じない構造の開閉蓋を有する防水型カメラを得ることができる。
【００３７】
なお、上記の実施の形態においては、防水パッキンとして弾性部材で形成されたＯリング５３がＯリング固定部材５４により開閉蓋５０に組み付けられた例で説明したが、このＯリング５３は、カメラ本体６０側の開口部に配置されたものであってもよい。
【００３８】
また、外部入出力端子（例えば、ＵＳＢ端子）、外部電源入力端子、ビデオ出力端子等の開閉蓋で説明したが、電池やカード型の記録用メモリの挿脱のための開閉蓋にも適用可能であるのは言うまでもない。
【図面の簡単な説明】
【００３９】
【図１】本実施の形態に係る防水型カメラの例を示した外観図である。
【図２】本実施の形態に係る開閉蓋の閉時の状態を示す断面図である。
【図３】本実施の形態に係る開閉蓋の開時の状態を示す断面図である。
【図４】従来例である特許文献２に記載の電池蓋の閉時と開時の蝶番部の状態を示した図である。
【符号の説明】
【００４０】
５０  開閉蓋
５１  開閉つまみ
５２  Ｏリング（弾性部材）
５３  Ｏリング（弾性部材）
５４  Ｏリング固定部材
５５  開閉蓋ロック部材
６０  カメラ本体
６１  外観部品
８１  撮影レンズ
８３  レリーズ釦
８４  フラッシュ発光部
８５  メインスイッチ
８６  フラッシュ調光用センサ窓
１００  防水型カメラ
【図１】
2006215436.tif 000003
【図２】
2006215436.tif 000004
【図３】
2006215436.tif 000005
【図４】
2006215436.tif 000006